(57)【要約】【課題】天板ユニットのみカスタムメイドすることでクライアントの要望に対応した平面形状を実現することができるデスク装置を提供する。【解決手段】曲率を有する平面形状の天板ユニット１１０を、床面ＦＳに立設される複数の支柱ユニット１２０，１３０が支持する。これら複数の支柱ユニット１２０，１３０を、少なくとも一個のビームユニット１４０が一対ずつ連結する。ただし、この支柱ユニットおよびビームユニットの平面方向での連結角度を、連結機構が天板ユニット１１０の曲率に対応して可変する。【選択図】図１
2014045948.tif 000002
【特許請求の範囲】
【請求項１】
曲率を有する平面形状に形成されている天板ユニットと、
前記天板ユニットを支持して床面に立設される複数の支柱ユニットと、
複数の前記支柱ユニットを一対ずつ連結する少なくとも一個のビームユニットと、
前記支柱ユニットおよび前記ビームユニットの平面方向での連結角度を前記天板ユニットの曲率に対応して可変する連結機構と、
を有するデスク装置。
【請求項２】
前記天板ユニットは、全体的に円弧状に湾曲した平面形状に形成されていて、内周側の内周天板および外周側の外周天板を有しており、
前記支柱ユニットは、前記内周天板および前記外周天板を半径方向に離反させて支持する支持部材が前記上端部分に形成されている、
請求項１に記載のデスク装置。
【請求項３】
前記ビームユニットは、前記支柱ユニットで半径方向に離反されて支持された前記内周天板および前記外周天板の下方に個々に位置する一対のビーム部材を有する、
請求項２に記載のデスク装置。
【請求項４】
前記連結機構は、
前記支柱ユニットおよび前記ビームユニットを回動自在に軸支する軸支機構と、
前記支柱ユニットに回動自在に軸支された前記ビームユニットを固定する固定機構と、を有する、
請求項１ないし３の何れか一項に記載のデスク装置。
【請求項５】
前記支柱ユニットは、前記ビームユニットが連結される連結部材が側面に突設されており、
前記ビームユニットは、前記支柱ユニットに連結される端部部材が両端に形成されており、
前記連結機構の軸支機構は、前記支柱ユニットの連結部材と前記ビームユニットの両端部材との各々に上下方向に貫通されている軸支孔と、前記軸支孔に貫通されている軸支ボルトと、前記軸支ボルトに締結されている軸支ナットと、を有しており、
前記連結機構の固定機構は、前記支柱ユニットの連結部材と前記ビームユニットの両端部材との少なくとも一方が円弧状の平面形状で上下方向に貫通されている固定孔と、前記支柱ユニットの連結部材と前記ビームユニットの両端部材との固定孔に貫通されている固定ボルトと、前記固定ボルトに締結されている固定ナットと、を有している、
請求項４に記載のデスク装置。
【請求項６】
前記支柱ユニットの下端部分を床面に固定する設置機構を、さらに有し、
前記支柱ユニットは、前記連結部材が上端近傍に位置している、
請求項１ないし５の何れか一項に記載のデスク装置。
【発明の詳細な説明】
【技術分野】
【０００１】
本発明は、多数の人員が同時に使用する長大な形状に形成することができるデスク装置に関する。
【背景技術】
【０００２】
現在、大規模なオフィスや公共施設などで、多数の人員がデスク装置を同時に使用することがある。このような場合、デスク装置は、長大な形状に形成することが要望される。
【０００３】
そこで、このようなデスク装置として、複数の天板ユニットと、複数の支柱ユニットと、複数のビームユニットと、を主要部分として有するものがある。このようなデスク装置では、複数の天板ユニットが一律な長方形の平面形状に形成されている。
【０００４】
そこで、床面に複数の支柱ユニットを一次元状に配列して設置し、これら複数の支柱ユニットを複数のビームユニットで連結する。このように複数のビームユニットで連結された複数の支柱ユニットで、複数の天板ユニットを支持することにより、デスク装置が実現される。
【０００５】
上述のようなデスク装置は、クライアントの要望により、様々な全長に形成することができる（例えば、特許文献１参照）。
【先行技術文献】
【特許文献】
【０００６】
【特許文献１】特開２００４−１５９７９９号公報
【発明の概要】
【発明が解決しようとする課題】
【０００７】
しかしながら、現在のオフィスや公共施設などでは、利便性やインテリア性などのため、湾曲した平面形状のデスク装置が要望されることもある。例えば、円弧状に湾曲したデスク装置は市販されている。
【０００８】
しかしながら、このようなデスク装置を連続的に配列しても、クライアントの所望する全長とならないことがある。また、市販のデスク装置は湾曲の曲率が固定されているため、クライアントの要望に対応できないことがある。
【０００９】
例えば、クライアントの要望に対応して、特許文献１のような構造のデスク装置を、湾曲した平面形状にカスタムメイドすることも想定できる。しかしながら、その場合は、天板ユニットとビームユニットとの両方を、湾曲した平面形状にカスタムメイドする必要がある。
【００１０】
本発明は上述のような課題に鑑みてなされたものであり、天板ユニットのみカスタムメイドすることでクライアントの要望に対応した平面形状を実現することができる、デスク装置を提供するものである。
【課題を解決するための手段】
【００１１】
上述のような課題を解決するため、本発明のデスク装置は、曲率を有する平面形状に形成されている天板ユニットと、前記天板ユニットを支持して床面に立設される複数の支柱ユニットと、複数の前記支柱ユニットを一対ずつ連結する少なくとも一個のビームユニットと、前記支柱ユニットおよび前記ビームユニットの平面方向での連結角度を前記天板ユニットの曲率に対応して可変する連結機構と、を有する。
【００１２】
従って、このデスク装置では、曲率を有する平面形状の天板ユニットを、床面に立設される複数の支柱ユニットが支持する。これら複数の支柱ユニットを、少なくとも一個のビームユニットが一対ずつ連結する。ただし、この支柱ユニットおよびビームユニットの平面方向での連結角度を、連結機構が天板ユニットの曲率に対応して可変する。このため、本発明のデスク装置では、クライアントの要望などにより天板ユニットを曲率を有する湾曲した平面形状にカスタムメイドする場合でも、支柱ユニットおよびビームユニットは設計変更などのカスタムメイドを必要とすることなく対応することができる。
【００１３】
上述のようなデスク装置において、さらに本発明では、前記天板ユニットは、全体的に円弧状に湾曲した平面形状に形成されていて、内周側の内周天板および外周側の外周天板を有しており、前記支柱ユニットは、前記内周天板および前記外周天板を半径方向に離反させて支持する支持部材が前記上端部分に形成されている。
【００１４】
従って、このデスク装置では、全体的に円弧状に湾曲した平面形状に形成されている天板ユニットが、内周側の内周天板および外周側の外周天板を有しており、これらの内周天板および外周天板が、複数の支柱ユニットの上端部分に形成されている支持部材で半径方向に離反されて支持れる。このため、本発明のデスク装置では、円弧状に湾曲した天板ユニットの、中央領域に円弧状の溝部が確保される。
【００１５】
上述のようなデスク装置において、さらに本発明では、前記ビームユニットは、前記支柱ユニットで半径方向に離反されて支持された前記内周天板および前記外周天板の下方に個々に位置する一対のビーム部材を有する。
【００１６】
従って、このデスク装置では、支柱ユニットで半径方向に離反されて支持された内周天板と外周天板との下方に、ビームユニットの一対のビーム部材が、個々に位置する。このため、本発明のデスク装置では、円弧状に湾曲した天板ユニットの、中央領域に確保した円弧状の溝部にビームユニットが位置しない。
【００１７】
上述のようなデスク装置において、さらに本発明では、前記連結機構は、前記支柱ユニットおよび前記ビームユニットを回動自在に軸支する軸支機構と、前記支柱ユニットに回動自在に軸支された前記ビームユニットを固定する固定機構と、を有する。
【００１８】
従って、このデスク装置では、支柱ユニットおよびビームユニットを軸支機構が回動自在に軸支し、支柱ユニットに回動自在に軸支されたビームユニットを固定機構が固定する。このため、本発明のデスク装置では、クライアントの要望などにより天板ユニットを曲率を有する湾曲した平面形状にカスタムメイドする場合でも、天板ユニットの湾曲に対応した複数の位置の各々に、複数の支柱ユニットが適正な方向で立設され、このように各種方向に回動した状態で立設された複数の支柱ユニットが複数のビームユニットで連結される。
【００１９】
上述のようなデスク装置において、さらに本発明では、前記支柱ユニットは、前記ビームユニットが連結される連結部材が側面に突設されており、前記ビームユニットは、前記支柱ユニットに連結される端部部材が両端に形成されており、前記連結機構の軸支機構は、前記支柱ユニットの連結部材と前記ビームユニットの両端部材との各々に上下方向に貫通されている軸支孔と、前記軸支孔に貫通されている軸支ボルトと、前記軸支ボルトに締結されている軸支ナットと、を有しており、前記連結機構の固定機構は、前記支柱ユニットの連結部材と前記ビームユニットの両端部材との少なくとも一方が円弧状の平面形状で上下方向に貫通されている固定孔と、前記支柱ユニットの連結部材と前記ビームユニットの両端部材との固定孔に貫通されている固定ボルトと、前記固定ボルトに締結されている固定ナットと、を有している。
【００２０】
従って、このデスク装置では、軸支機構の軸支孔が、支柱ユニットの連結部材とビームユニットの両端部材とに上下方向に貫通されており、この軸支孔に軸支ボルトが貫通され、この軸支ボルトに軸支ナットが締結されている。固定機構の固定孔は、支柱ユニットの連結部材とビームユニットの両端部材との少なくとも一方が円弧状の平面形状で上下方向に貫通されており、支柱ユニットの連結部材とビームユニットの両端部材との固定孔に固定ボルトが貫通されており、この固定ボルトに固定ナットが締結されている。このため、本発明のデスク装置では、クライアントの要望などにより天板ユニットを円弧状に曲率を有する湾曲した平面形状にカスタムメイドする場合でも、天板ユニットの湾曲に対応して水平方向に様々に回動して立設された複数の支柱ユニットが複数のビームユニットで連結されて固定される。
【００２１】
上述のようなデスク装置において、さらに本発明では、前記支柱ユニットの下端部分を床面に固定する設置機構を、さらに有し、前記支柱ユニットは、前記連結部材が上端近傍に位置している。
【００２２】
従って、このデスク装置では、支柱ユニットの下端部分を設置機構が床面に固定し、支柱ユニットの上端近傍に連結部材が位置している。このため、本発明のデスク装置では、複数の支柱ユニットの下端部分が床面に固定されて上端部分がビームユニットで連結されるので、天板部材を支持する支柱ユニットが床面に強固に設置される。
【００２３】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２４】
また、本発明で云うデスクとは、事務作業などに使用するものだけではなく、食事などに使用するテーブルなども許容する。また、水平方向に回動するとは、回動により方向が水平に回動することを意味しており、回動方向が厳密に水平方向であることは意味していない。
【発明の効果】
【００２５】
本発明のデスク装置では、クライアントの要望などにより天板ユニットを湾曲した平面形状にカスタムメイドする場合でも、支柱ユニットおよびビームユニットは設計変更などのカスタムメイドを必要とすることなく対応することができる。このため、クライアントの様々な要望に対応して湾曲したカスタムメイドのデスク装置を、良好な生産性で施工することができる。
【００２６】
上述のようなデスク装置において、さらに本発明では、円弧状に湾曲した平面形状に形成されている天板ユニットが、その平面形状に対応して円弧状に湾曲した位置で床面に立設される複数の支柱ユニットで支持される。このため、クライアントの要望などにより天板ユニットが円弧状に湾曲した平面形状のデスク装置を実現することができる。
【００２７】
上述のようなデスク装置において、さらに本発明では、支柱ユニットの上端部分に形成されている支持部材が、天板ユニットの内周側の内周天板および外周側の外周天板を、半径方向に離反させて支持する。このため、本発明のデスク装置では、円弧状に湾曲した天板ユニットの、中央領域に円弧状の溝部を確保することができる。したがって、この溝部を、たとえば、天板ユニット上で使用する電気機器の配線の敷設などに利用することができる。
【００２８】
上述のようなデスク装置において、さらに本発明では、支柱ユニットおよびビームユニットを軸支機構が回動自在に軸支し、支柱ユニットに回動自在に軸支されたビームユニットを固定機構が固定する。このため、本発明のデスク装置では、クライアントの要望などにより天板ユニットを湾曲した平面形状にカスタムメイドする場合でも、天板ユニットの湾曲に対応した複数の位置の各々に、複数の支柱ユニットを適正な方向で立設させることができ、このように各種方向に回動した状態で立設された複数の支柱ユニットを複数のビームユニットで連結することができる。
【００２９】
上述のようなデスク装置において、さらに本発明では、軸支機構の軸支孔が、支柱ユニットの連結部材とビームユニットの両端部材とに上下方向に貫通されており、この軸支孔に軸支ボルトが貫通され、この軸支ボルトに軸支ナットが締結されている。固定機構の固定孔は、支柱ユニットの連結部材とビームユニットの両端部材との少なくとも一方が円弧状の平面形状で上下方向に貫通されており、支柱ユニットの連結部材とビームユニットの両端部材との固定孔に固定ボルトが貫通されており、この固定ボルトに固定ナットが締結されている。このため、本発明のデスク装置では、クライアントの要望などにより天板ユニットを円弧状に湾曲した平面形状にカスタムメイドする場合でも、天板ユニットの湾曲に対応して水平方向に様々に回動して立設された複数の支柱ユニットを複数のビームユニットで連結して固定することができる。
【００３０】
上述のようなデスク装置において、さらに本発明では、支柱ユニットで半径方向に離反されて支持された内周天板と外周天板との下方に、ビームユニットの一対のビーム部材が、個々に位置する。このため、本発明のデスク装置では、円弧状に湾曲した天板ユニットの、中央領域に確保した円弧状の溝部に、ビームユニットが位置することを防止できる。
【００３１】
上述のようなデスク装置において、さらに本発明では、支柱ユニットの下端部分を設置機構が床面に固定し、支柱ユニットの上端近傍に連結部材が位置している。このため、本発明のデスク装置では、複数の支柱ユニットの下端部分が床面に固定されて上端部分がビームユニットで連結されるので、天板部材を支持する支柱ユニットを床面に強固に設置することができる。
【００３２】
なお、本発明で云う天板ユニットの曲率を有する平面形状とは、曲率が一定の円弧状に湾曲した平面形状だけでなく、曲率が順次変化する螺旋状の平面形状や、曲率が様々に変化するＳ字状の平面形状なども許容する。
【図面の簡単な説明】
【００３３】
【図１】本発明の実施の形態のデスク装置の全体的な組立構造を示す分解斜視図である。
【図２】本発明の実施の形態のデスク装置の要部の組立構造を示す分解斜視図である。
【図３】本発明の実施の形態のデスク装置の要部構造を示す平面図である。
【図４】本発明の実施の形態のデスク装置の施工工程の第三段階を示す分解斜視図である。
【図５】本発明の実施の形態のデスク装置の施工工程の第五段階を示す分解斜視図である。
【図６】本発明の実施の形態のデスク装置の施工工程の第六段階を示す分解斜視図である。
【図７】本発明の実施の形態のデスク装置の施工工程の最終段階を示す分解斜視図である。
【図８】本発明の実施の形態のデスク装置からなるデスクシステムの全体構造を示す平面図である。
【図９】本発明の実施の形態のデスク装置からなるデスクシステムの一変形例の全体構造を示す平面図である。
【発明を実施するための形態】
【００３４】
本発明の実施の一形態に関して図１ないし図７を参照して以下に説明する。なお、図１は、本実施の形態のデスク装置１００の全体的な組立構造を示す分解斜視図、図２は、本実施の形態のデスク装置１００の要部の組立構造を示す分解斜視図、図３は、本実施の形態のデスク装置１００の要部構造を示す平面図、図４ないし図７は、本実施の形態のデスク装置１００の施工工程の第一段階ないし最終段階を示す分解斜視図、図８は、本実施の形態のデスク装置１００からなるデスクシステムの全体構造を示す平面図、である。
【００３５】
なお、以下では説明を簡単とするため、便宜的に天板ユニット１１０の曲率を有する円弧状の円周方向である湾曲方向を左右方向、その円弧の放射方向である半径方向の内側方向を前方、外側方向を後方、と呼称する。
【００３６】
本実施の形態のデスク装置１００は、図１に示すように、複数の天板ユニット１１０と、複数の支柱ユニット１２０，１３０と、複数のビームユニット１４０と、複数の間隙ユニット１５１と、複数のパーティションユニット１５０と、設置機構１６０と、を主要部分として有する。
【００３７】
図１等に示すように、複数の天板ユニット１１０は、円弧状に湾曲した平面形状に形成されており、内周側の内周天板１１１と外周側の外周天板１１２からなる。本実施の形態のデスク装置１００は、例えば、クライアントのカスタムメイドにより曲率や全長などが指定され、それに対応して複数の天板ユニット１１０が形成される。
【００３８】
複数の支柱ユニット１２０，１３０は、天板ユニット１１０の平面形状に対応して円弧状に湾曲した位置で床面ＦＳに立設され、上端部分で天板ユニット１１０を支持する。複数のビームユニット１４０は、複数の支柱ユニット１２０，１３０を一対ずつ、複数のビームユニット１４０が、連結機構の一部である両端部材１４２で、水平方向に回動自在に連結する。
【００３９】
このため、本実施の形態のデスク装置１００は、支柱ユニット１２０，１３０とビームユニット１４０とを軸支機構が回動自在に軸支し、支柱ユニット１２０，１３０に回動自在に軸支されたビームユニット１４０を固定機構が固定する。
【００４０】
より具体的には、図１ないし図３に示すように、天板ユニット１１０は、内周側の内周天板１１１と外周側の外周天板１１２からなる。このため、支柱ユニット１２０，１３０は、全体的にＴ字状の側面形状に形成されてており、内周天板１１１と外周天板１１２とを半径方向である前後方向に離反させて支持する支持部材１２２が、中空のボックス状の支柱部材１２１の上端部分から前後方向に突設されている。
【００４１】
さらに、支柱ユニット１２０，１３０は、ビームユニット１４０を連結するため、上面開口のコ字状の連結部材１２３が、連結機構の一部として、上端部分から円周方向である左右方向に突設されている。
【００４２】
ビームユニット１４０は、左右方向に細長形状のボックス状に形成されている。このため、ビームユニット１４０は、上述のように支柱ユニット１２０，１３０で前後方向に離反されて支持された内周天板１１１と外周天板１１２との下方に個々に位置する、一対のビーム部材１４１を有する。
【００４３】
これら前後一対のビーム部材１４１は、左右方向に細長形状のチャネル材などからなる。ビームユニット１４０は、Ｌ字型に曲折された金属板からなる両端部材１４２により、前後一対の前後一対のビーム部材１４１が左右両端で固定されている。
【００４４】
軸支機構は、支柱ユニット１２０，１３０の連結部材１２３およびビームユニット１４０の両端部材１４２に上下方向に貫通されている軸支孔１２４，１４３と、軸支孔１２４，１４３に貫通されている軸支ボルト１４５と、軸支ボルト１４５に締結されている軸支ナット１４６と、を有している。
【００４５】
固定機構は、支柱ユニット１２０，１３０の連結部材１２３に円弧状の平面形状で上下方向に貫通されている固定孔１２５と、ビームユニット１４０の両端部材１４２に円形の平面形状で上下方向に貫通されている固定孔１４４と、これら支柱ユニット１２０，１３０の連結部材１２３およびビームユニット１４０の両端部材１４２の固定孔１４４に貫通されている固定ボルト１４７と、固定ボルト１４７に締結されている固定ナット１４８と、を有している。
【００４６】
さらに、本実施の形態のデスク装置１００では、図１等に示すように、前述のように支柱ユニット１２０，１３０で半径方向に離反されて支持された内周天板１１１と外周天板１１２との円弧状の間隙に、円弧状に湾曲した平面形状の板状の間隙ユニット１５１が装着される。この間隙ユニット１５１は、円弧状に湾曲した平面形状のパーティションユニット１５０が上面に立設されている。
【００４７】
本実施の形態のデスク装置１００は、公知の方法によって床面ＦＳに立設させた立脚ボルト１６３に支柱ユニット１２０，１３０を装着することにより、床面ＦＳに固定されている。なお、このように床面ＦＳに固定されて立設される支柱ユニット１２０，１３０は、連続する複数の天板ユニット１１０の中間領域を支持する支柱ユニット１２０と、連続する複数の天板ユニット１１０の左右両端を支持する支柱ユニット１３０と、がある。
【００４８】
この連続する複数の天板ユニット１１０の左右両端を支持する支柱ユニット１３０は、連結部材１２３が左右の一方のみ形成されており、他方には平板状の仕切部材１３１が装着されている。
【００４９】
上述のような構成において、本実施の形態のデスク装置１００は、図１および図８に示すように、例えば、クライアントのカスタムメイドにより曲率や全長などが指定され、それに対応して複数の天板ユニット１１０が形成される。このため、複数の円弧状の天板ユニット１１０は、クライアントの要望などに対応してカスタムメイドで作成される。
【００５０】
一方、その円弧状の複数の天板ユニット１１０を支持する複数の支柱ユニット１２０，１３０と、これら複数の支柱ユニット１２０，１３０を連結するビームユニット１４０とは、図１ないし図３に示すように、生産メーカーの規定規格で一律に大量生産されている。
【００５１】
しかしながら、本実施の形態のデスク装置１００では、前述のように複数の天板ユニット１１０の湾曲に対応した複数の位置の各々で、複数の支柱ユニット１２０，１３０が床面ＦＳに立設されて上端部分で天板ユニット１１０を支持し、この複数の支柱ユニット１２０，１３０を一対ずつ、図３に示すように、複数のビームユニット１４０が両端部材１４２で水平方向に回動自在に連結する。
【００５２】
このため、前述のようにクライアントの要望などにより天板ユニット１１０を湾曲した平面形状にカスタムメイドする場合でも、支柱ユニット１２０，１３０とビームユニット１４０とは設計変更などのカスタムメイドを必要とすることなく対応することができる。従って、クライアントの様々な要望に対応して湾曲したカスタムメイドのデスク装置１００を、良好な生産性で施工することができる。
【００５３】
さらに、本実施の形態のデスク装置１００では、支柱ユニット１２０，１３０とビームユニット１４０とを軸支機構が回動自在に軸支し、支柱ユニット１２０，１３０に回動自在に軸支されたビームユニット１４０を固定機構が固定する。
【００５４】
従って、天板ユニット１１０の湾曲に対応した複数の位置の各々に、複数の支柱ユニット１２０，１３０を適正な方向で立設させることができ、このように各種方向に回動した状態で立設された複数の支柱ユニット１２０，１３０を複数のビームユニット１４０で連結することができる。
【００５５】
さらに、本実施の形態のデスク装置１００では、軸支機構は、支柱ユニット１２０，１３０の連結部材１２３およびビームユニット１４０の両端部材１４２に上下方向に軸支孔１２４，１４３が貫通されており、この軸支孔１２４，１４３に貫通された軸支ボルト１４５に軸支ナット１４６が締結されている。
【００５６】
固定機構は、支柱ユニット１２０，１３０の連結部材１２３の円弧状の固定孔１２５と、ビームユニット１４０の両端部材１４２の円形の固定孔１４４とに、固定ボルト１４７が貫通されて固定ナット１４８が締結されている。
【００５７】
従って、既存のボルトやナットを利用した簡単な構造により、天板ユニット１１０の湾曲に対応して水平方向に様々に回動して立設された複数の支柱ユニット１２０，１３０を複数のビームユニット１４０で連結して固定することができる。
【００５８】
また、本実施の形態のデスク装置１００では、支柱ユニット１２０，１３０の上端部分に形成されている支持部材１２２が、天板ユニット１１０の内周側の内周天板１１１と外周側の外周天板１１２とを、半径方向に離反させて支持する。
【００５９】
このため、円弧状に湾曲した天板ユニット１１０の、中央領域に円弧状の溝部を確保することができる。したがって、この溝部を、たとえば、天板ユニット１１０上で使用する電気機器の配線（図示せず）の敷設などに利用することができる。
【００６０】
さらに、支柱ユニット１２０，１３０で半径方向に離反されて支持された内周天板１１１と外周天板１１２との下方に、ビームユニット１４０の前後一対のビーム部材１４１が、個々に位置する。
【００６１】
このため、円弧状に湾曲した天板ユニット１１０の、中央領域に確保した円弧状の溝部に、ビームユニット１４０が位置することを防止できる。従って、天板ユニット１１０の中央領域の円弧状の溝部に、例えば、デスクライトを装着したり、テーブルタップの受皿ユニットを装着するようなことができる。
【００６２】
さらに、本実施の形態のデスク装置１００では、支柱ユニット１２０，１３０で半径方向に離反されて支持された内周天板１１１と外周天板１１２との円弧状の間隙に、円弧状に湾曲した平面形状の間隙ユニット１５１が装着される。このため、円弧状に湾曲した天板ユニット１１０の中央領域に確保した円弧状の溝部を、必要により閉止することもできる。
【００６３】
特に、間隙ユニット１５１は、内周天板１１１と外周天板１１２と面一となる上面が形成されており、間隙ユニット１５１の上面に円弧状に湾曲した平面形状のパーティションユニット１５０が立設されている。このため、円弧状に湾曲した天板ユニット１１０の中央領域に、円弧状に湾曲した平面形状のパーティションユニット１５０を設置することができる。
【００６４】
本実施の形態のデスク装置１００では、上述のように天板ユニット１１０の中央領域にパーティションユニット１５０が設置されるので、対向する利用者が双方を気にすることなく、内周天板１１１と外周天板１１２とを別個に利用することができる。
【００６５】
さらに、このように内周天板１１１と外周天板１１２との円周方向の中間領域を支持する支柱ユニット１２０は、支柱部材１２１が半径方向に幅狭なので、利用者の足下のスペースを阻害することがない。
【００６６】
一方、天板ユニット１１０の左右両端に位置する支柱ユニット１３０は、支柱部材１２１の外側に平板状の仕切部材１３１が装着されているので、利用者の足下のプライバシーが侵害されることもない。さらに、仕切部材１３１により、デスク装置１００の短手方向の安定性も向上させることができる。
【００６７】
そして、本実施の形態のデスク装置１００では、支柱ユニット１２０，１３０の下端部分を設置機構１６０が床面ＦＳに固定し、支柱ユニット１２０，１３０の上端近傍に連結部材１２３が位置している。
【００６８】
このため、複数の支柱ユニット１２０，１３０の下端部分が床面ＦＳに固定されて上端部分がビームユニット１４０で連結されるので、天板部材を支持する支柱ユニット１２０，１３０を床面ＦＳに強固に設置することができる。特に、ビームユニット１４０は平面形状が長方形のボックス状に形成されているので、その強度が良好である。
【００６９】
上述のような床面ＦＳへの複数の支柱ユニット１２０，１３０の固定は、図５に示すように、天板ユニット１１０の湾曲に対応した位置と方向で実行される。このように床面ＦＳに複数の支柱ユニット１２０，１３０が固定されると、図６に示すように、その上端部分が複数のビームユニット１４０で連結される。
【００７０】
このように複数のビームユニット１４０で上端部分が連結された複数の支柱ユニット１２０，１３０の支持部分に、図１および図７に示すように、内周天板１１１と外周天板１１２からなる天板ユニット１１０が支柱ユニット１２０，１３０の支持部材１２２に装着される。
【００７１】
このとき、クライアントの所望などにより、内周天板１１１と外周天板１１２との間隙に、パーティションユニット１５０が立設されている間隙ユニット１５１が装着される。このようにデスク装置１００を施工することにより、図８に示すように、曲率が相違する多重のデスク装置１００を同心円状に配列したデスクシステムを構成するようなことができる。
【００７２】
なお、本発明は本実施の形態に限定されるものではなく、その要旨を逸脱しない範囲で各種の変形を許容する。例えば、上記形態では、固定機構の固定孔１２５は、支柱ユニット１２０，１３０の連結部材１２３には円弧状の平面形状で上下方向に貫通されており、ビームユニット１４０の両端部材１４２には円形の平面形状で上下方向に貫通されていることを例示した。
【００７３】
しかしながら、このような固定機構の固定孔は、支柱ユニット１２０，１３０の連結部材１２３には円形の平面形状で、ビームユニット１４０の両端部材１４２には円弧状の平面形状に形成されていてもよく、両方とも円弧状の平面形状に形成されていてもよい（図示せず）。
【００７４】
また、上記形態では、ビームユニット１４０が左右方向に細長形状のボックス状に形成されており、軸支機構は、支柱ユニット１２０，１３０の連結部材１２３およびビームユニット１４０の両端部材１４２に上下方向に軸支孔１２４，１４３が貫通されており、この軸支孔１２４，１４３に貫通された軸支ボルト１４５に軸支ナット１４６が締結されている。
【００７５】
固定機構は、支柱ユニット１２０，１３０の連結部材１２３の円弧状の固定孔１２５と、ビームユニット１４０の両端部材１４２の円形の固定孔１４４とに、固定ボルト１４７が貫通されて固定ナット１４８が締結されていることを例示した。
【００７６】
しかしながら、ビームユニットが分離した前後一対のビーム部材からなり、支持機構および固定機構が、支柱ユニットの連結部材とビームユニットの両端部材との少なくとも一方が左右方向に細長形状の貫通孔で、軸支孔および固定孔が形成されていてもよい（図示せず）。
【００７７】
この場合、ボックス状のビームユニット１４０に比較して連結の強度などは低下するが、ビームユニットの構造が簡単となるので生産性を向上させることができる。なお、上述のような軸支孔および固定孔を兼用する細長形状の貫通孔は、円弧状でも直線状でもよい。また、内側のビーム部材より外側のビーム部材を長大に形成しておくことが好適である。
【００７８】
さらに、上記形態では、連続する複数の天板ユニット１１０の中間領域を、仕切部材１３１が装着されていない支柱ユニット１２０で支持し、連続する複数の天板ユニット１１０の左右両端を、仕切部材１３１が装着されている支柱ユニット１３０で支持することを例示した。
【００７９】
しかしながら、連続する複数の天板ユニット１１０の全域を、仕切部材１３１が装着されていない支柱ユニット１２０のみで支持してもよく、仕切部材１３１が装着されている支柱ユニット１３０のみで支持してもよい（図示せず）。
【００８０】
なお、仕切部材１３１が装着されていて、連続する複数の天板ユニット１１０の中間領域を支持する支柱ユニットは、左右両側に連結部材１２３が装着されていることが好適である（図示せず）。
【００８１】
また、上記形態では天板ユニット１１０が内周天板１１１と外周天板１１２からなり、その間隙に間隙ユニット１５１が装着されることを例示した。しかしながら、これら内周天板１１１と外周天板１１２と間隙ユニット１５１とを一体に形成したような形状に、天板ユニット１１０を形成してもよい。
【００８２】
さらに、上記形態では天板ユニット１１０の内周天板１１１と外周天板１１２との間隙に、板状の間隙ユニット１５１が面一に装着されることを例示した。しかしながら、このような間隙ユニット１５１として、配線やテーブルタップなどを支持する配線トレー（図示せず）などを採用してもよい。
【００８３】
また、上記形態では、図８に示すように、連続する複数の天板ユニット１１０を、円弧状に湾曲した平面形状に形成することを例示した。しかしながら、連続する複数の天板ユニット１１０を、Ｓ字状や螺旋状などに湾曲した平面形状に形成してもよい（図示せず）。
【００８４】
さらに、上記形態では、図８に示すように、デスク装置１００の全部の天板ユニット１１０が完全な円弧状の平面形状に形成されていることを例示した。しかしながら、デスク装置１００を設置する部屋が一般的な長方形の平面形状などの場合、図９に示すように、一部の天板ユニット１１０の端部を、半径方向から傾斜した方向に切除して、全体を長方形の平面形状に対応させた、デスク装置１００を形成してもよい。
【００８５】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００８６】
１００…デスク装置
１１０…天板ユニット
１１１…内周天板
１１２…外周天板
１２０…支柱ユニット
１２１…支柱部材
１２２…支持部材
１２３…連結部材
１２４…軸支孔
１２５…固定孔
１３０…支柱ユニット
１３１…仕切部材
１４０…ビームユニット
１４１…ビーム部材
１４２…両端部材
１４３…軸支孔
１４４…固定孔
１４５…軸支ボルト
１４６…軸支ナット
１４７…固定ボルト
１４８…固定ナット
１５０…パーティションユニット
１５１…間隙ユニット
１６０…設置機構
１６１…床板ユニット
１６２…埋設ユニット
１６３…立脚ボルト
１６４…溝穴
ＦＳ…床面
【図１】
2014045948.tif 000003
【図２】
2014045948.tif 000004
【図３】
2014045948.tif 000005
【図４】
2014045948.tif 000006
【図５】
2014045948.tif 000007
【図６】
2014045948.tif 000008
【図７】
2014045948.tif 000009
【図８】
2014045948.tif 000010
【図９】
2014045948.tif 000011